(57)【要約】【解決手段】バックプレーン及びスレッドコネクタアセンブリは、一緒に嵌合されるように構成されたバックプレーンコネクタと、スレッドコネクタと、を含む。バックプレーンコネクタは、バックプレーン２６に装着されるように構成され、スレッドコネクタは、スレッドに装着されるように構成されている。バックプレーンコネクタ、スレッドコネクタ、バックプレーン及びスレッドが互いに嵌合されると、バックプレーン及びスレッドは平行である。【選択図】図１
2021516420.tif 000002
【特許請求の範囲】
【請求項１】
アセンブリであって、
上壁と、底壁と、前記上壁と底壁との間に延在している第１の側壁と、前記上壁と底壁との間に延在している第２の側壁と、を有するバックプレーンハウジングを備える、バックプレーンコネクタであって、前記バックプレーンハウジングは、その前端と後端との間に延在し、かつ中に装着された端子を有する、少なくとも１つの通路、前記第１の側壁に対して移動するように構成された第１の側壁内の少なくとも１つのラッチアーム、前記第２の側壁に対して移動するように構成された第２の側壁内の少なくとも１つのラッチアーム、を有する、バックプレーンコネクタと、
上壁と、底壁と、前記上壁と底壁との間に延在している側壁と、を有するスレッドハウジングを備える、スレッドコネクタであって、前記スレッドハウジングは、その前端と後端との間に延在し、かつその中に装着された端子を有する、少なくとも１つの通路、前記上壁に対して移動するように構成された上壁内の少なくとも１つのラッチアーム、前記底壁に対して移動するように構成された底壁内の少なくとも１つのラッチアーム、を有する、スレッドコネクタと、を備え、
前記バックプレーンコネクタとスレッドコネクタとが互いに嵌合されるとき、前記上壁は互いに平行であり、前記底壁は互いに平行であり、前記第１の側壁は互いに平行であり、前記第２の側壁は互いに平行である、アセンブリ。
【請求項２】
各ラッチアームが、前記それぞれの壁から延在しているアーム部と、該アーム部の自由端にあるヘッド部と、前記アーム部から延在し、前記ヘッド部から離間している返し部と、を有する、請求項１に記載のアセンブリ。
【請求項３】
バックプレーン及びスレッドを更に含み、
前記バックプレーンは、前記バックプレーンコネクタと嵌合して、そのラッチアームと係合し、前記バックプレーンは、前記ラッチアームの返し部とヘッド部との間に着座し、前記スレッドは、前記スレッドコネクタと嵌合して、そのラッチアームと係合し、前記スレッドは、前記ラッチアームの返し部とヘッド部との間に着座する、請求項２に記載のアセンブリ。
【請求項４】
前記バックプレーンコネクタが、その上壁及び底壁から外向きに延在しているフランジを更に備え、該フランジは、前記バックプレーンコネクタのヘッド部が、前記バックプレーンコネクタのアーム部が前記バックプレーンコネクタの中心線に平行になる位置にあるときに、前記バックプレーンコネクタのヘッド部と長手方向に整列しており、
前記スレッドコネクタが更に、その上壁及び底壁から外向きに延在しているフランジを更に備え、前記スレッドコネクタのフランジは、前記スレッドコネクタのヘッド部が、前記スレッドコネクタのアーム部が前記スレッドコネクタの中心線に平行になる位置にあるときに、前記スレッドコネクタのヘッド部と長手方向に整列している、請求項２に記載のアセンブリ。
【請求項５】
前記スレッドコネクタが、その側壁から外向きに延在しているフランジを更に備え、該フランジは、前記スレッドコネクタのヘッド部が、前記スレッドコネクタのアーム部が前記スレッドコネクタの中心線に平行となる位置にあるときに、該スレッドコネクタのヘッド部と長手方向に整列しているスレッドコネクタの側壁から延在している、請求項４に記載のアセンブリ。
【請求項６】
バックプレーン及びスレッドを更に含み、前記バックプレーンは、前記バックプレーンコネクタと嵌合して、そのラッチアームと係合し、前記スレッドは、前記スレッドコネクタと嵌合してそのラッチアームと係合する、請求項１に記載のアセンブリ。
【請求項７】
前記バックプレーンコネクタが、その上壁及び底壁から外向きに延在しているフランジを更に備え、該フランジは、前記バックプレーンコネクタのヘッド部が、前記バックプレーンコネクタのアーム部が前記バックプレーンコネクタの中心線に平行である位置となるときに、前記バックプレーンコネクタのヘッド部と長手方向に整列しており、
前記スレッドコネクタが更に、その前記上壁とその底壁から外向きに延在しているフランジを更に備え、前記スレッドコネクタの前記フランジは、前記スレッドコネクタの前記ヘッド部が、前記スレッドコネクタの前記アーム部が前記スレッドコネクタの中心線に平行となる位置にあるときに、前記スレッドコネクタの前記ヘッド部と長手方向に整列している、請求項６に記載のアセンブリ。
【請求項８】
前記スレッドコネクタが、その側壁から外向きに延在しているフランジを更に備え、該フランジは、前記スレッドコネクタのヘッド部が、前記スレッドコネクタのアーム部が前記スレッドコネクタの中心線に平行となる位置にあるとき、前記スレッドコネクタのヘッド部と長手方向に整列している前記スレッドコネクタの側壁から延在している、請求項７に記載のアセンブリ。
【請求項９】
前記バックプレーンコネクタ及びスレッドコネクタが、前記バックプレーンコネクタとスレッドコネクタとを一緒に結合するように構成された嵌合機構を備える、請求項１に記載のアセンブリ。
【発明の詳細な説明】
【技術分野】
【０００１】
関連出願
本出願は、米国特許法第１１９条（ｅ）の下で、２０１８年３月９日に出願され参照により本明細書に組み込まれる、米国仮特許出願第６２／６４１，０７０号の「ＢＡＣＫＰＬＡＮＥ  ＡＮＤ  ＳＬＥＤ  ＣＯＮＮＥＣＴＯＲ  ＡＳＳＥＭＢＬＹ（バックプレーン及びスレッドコネクタアセンブリ）」の出願日の利益を主張する。
【０００２】
本開示は、コネクタの分野に関し、より具体的には、バックプレーン及びスレッドコネクタアセンブリに関する。
【背景技術】
【０００３】
ネットワークの全てのノードを互いに接続するために、多数の接続が通常必要とされるが、個々の光ファイバがバックプレーンに接続するために使用される場合には、実用的ではない。しかしながら、整列が困難であることにより、一貫してかつ確実な、コネクタのバックプレーンへの結合を提供する相互接続を設計する上で問題が発生してきた。
【発明の概要】
【０００４】
バックプレーン及びスレッドコネクタアセンブリは、一緒に嵌合されるように構成されたバックプレーンコネクタと、スレッドコネクタと、を含む。バックプレーンコネクタは、バックプレーン２６に装着されるように構成され、スレッドコネクタはスレッドに装着されるように構成される。バックプレーンコネクタ、スレッドコネクタ、バックプレーン及びスレッドが互いに嵌合されると、バックプレーン及びスレッドは平行である。
【図面の簡単な説明】
【０００５】
本発明は例として図示されるが、添付図面に限定されるものではなく、図中、同様の符号は同様の要素を示す。
【０００６】
【図１】例示的な実装による、バックプレーンコネクタ及びスレッドコネクタを含むアセンブリの斜視図である。
【図２】例示的な実装による、バックプレーンコネクタ及びスレッドコネクタを含むアセンブリの斜視図である。
【図３】例示的な実装による、バックプレーンコネクタ及びスレッドコネクタを含むアセンブリの側面図である。
【図４】例示的な実装による、バックプレーンコネクタ及びスレッドコネクタを含むアセンブリの側面図である。
【図５】例示的な実装による、バックプレーンコネクタの斜視図である。
【図６】例示的な実装による、バックプレーンコネクタの側面図である。
【図７】例示的な実装による、バックプレーンコネクタの側面図である。
【図８】例示的な実装による、バックプレーンコネクタの詳細側面図である。
【図９】例示的な実装による、バックプレーンコネクタの詳細側面図である。
【図１０】例示的な実装による、バックプレーンコネクタの側面図である。
【図１１】例示的な実装による、バックプレーンコネクタの側面図である。
【図１２】例示的な実装による、スレッドコネクタの斜視図である。
【図１３】例示的な実装による、スレッドコネクタの分解斜視図である。
【図１４】例示的な実装による、スレッドコネクタの外側ハウジングの側面図である。
【図１５】例示的な実装による、スレッドコネクタの外側ハウジングの側面図である。
【図１６】例示的な実装による、スレッドコネクタの外側ハウジングの側面図である。
【図１７】例示的な実装による、スレッドコネクタの外側ハウジングの側面図である。
【発明を実施するための形態】
【０００７】
本開示は、異なる形式の実施形態を許可する場合があるが、図面にて示されている。また、本開示は本開示の原理の例示であると見なされるべきであり、本明細書にて図示及び説明されるものに本開示を制限することを意図するものではないという理解を伴う特定の実施形態は、本明細書で詳細に説明されることだろう。したがって、特に明記しない限り、本明細書で開示される特徴は、簡潔にする目的で別様に示されていない追加の組み合わせを形成するために、一緒に組み合わされてもよい。いくつかの実施形態では、図面（複数可）において例として示される１つ以上の要素は、本開示の範囲内の代替的な要素で排除及び／又は置換され得ることが更に理解されるであろう。
【０００８】
図１〜図４は、例示的な実装による、バックプレーンコネクタ及びスレッドコネクタを含むアセンブリを示す。本開示は、一緒に嵌合されるように構成されたバックプレーンコネクタ２２と、スレッドコネクタ２４と、を含む、バックプレーン及びスレッドコネクタアセンブリ２０を提供する。バックプレーンコネクタ２２は、バックプレーン２６に装着されるように構成され、スレッドコネクタ２４はスレッド２８に装着されるように構成されている。バックプレーンコネクタ２２、スレッドコネクタ２４、バックプレーン２６とスレッド２８とが嵌合されると、バックプレーン２６及びスレッド２８は平行である。本明細書で使用するとき、用語「コネクタ」は、多くの場合、異なるプラグ又はレセプタクルと繰り返し係合及び係合解除され得るデバイスを指す。そのようなコネクタは、当該技術分野において既知である。本明細書では、「上部」及び「底部」などの方向用語が使用されるが、これは説明の便宜上のみ使用され、必要な向きの方向を示すものではない。
【０００９】
図５〜図１１は、例示的な実装による、バックプレーンコネクタを示す。バックプレーン２６は平面であり、それらの間に厚さを画定する、対向する前面２６ａ及び後面２６ｂを有する。バックプレーン２６は、平面回路基板であってもよい。スレッド２８は平面であり、それらの間に厚さを画定する、対向する前面２８ａ及び後面２８ｂを有する。
【００１０】
バックプレーンコネクタ２２は、前端４０及び後端４２が画定されるように、第１の側壁３６及び第２の側壁３８によって相互接続された対向する上壁３２及び底壁３４を有する、絶縁材料及び誘電材料から形成されたハウジング３０を含む。複数の通路４４は、ハウジング３０を通って前端４０から後端４２まで延在する。端子（図示せず）は、既知の方法で通路４４内に装着される。一実施形態では、通路４４は、シリンダとして又は大体においてシリンダとして形成されている。一実施形態では、端子は、通路内に着座されたフェルール内に装着された光ファイバである。一実施形態では、端子は、通路内に着座された導電性ピンである。中心線４６は、通路４４を通って画定され、前端４０と後端４２との間に延在する。中心線４６は、バックプレーンコネクタ２２のｚ軸を画定する。ｚ軸に垂直なｘ軸は、上壁３２の幅に沿って画定され、幅は側壁３６、３８の間に画定される。ｚ軸及びｘ軸に垂直な、ｙ軸は、側壁３６の高さに沿って画定され、高さは上壁３２と底壁３４との間に画定される。
【００１１】
上壁３２は、それぞれがそれぞれの側壁３６、３８から延在し、ハウジング３０の前端４０から長手方向に離間している、一対の切欠き４８、５０をその中に有する。一実施形態では、各切欠き４８、５０は、前端４８ａ、５０ａと、前端４８ａ、５０ａから後方に、中心線４６に対してある角度で延在している前壁面４８ｂ、５０ｂと、前壁面４８ｂ、５０ｂの後端から後方に向かって中心線４６に平行に延在している中間壁面４８ｄ、５０ｃと、中間壁面４８ｂ、５０ｂから後方に、中心線４６に対して垂直で後端４８ｅ、５０ｅまで延在している後壁面４８ｄ、５０ｄと、を有する。前端４８ａ、５０ａは互いに整列し、後壁面４８ｄ、５０ｄは互いに整列する。
【００１２】
底壁３４は、それぞれがそれぞれの側壁３６、３８から延在し、それぞれがハウジング３０の前端４０から長手方向に離間している、一対の切欠き５２、５４をその中に有する。一実施形態では、各切欠き５２、５４は、前端５２ａ、５４ａと、前端５２ａ、５４ａから後方に、中心線４６に対してある角度で延在している前壁面５２ｂ、５４ｃと、前壁面５２ｂ、５４ｂの後端から後方に向かって中心線４６に平行に延在している中間壁面５２ｄ、５４ｃと、中間壁面５２ｂ、５４ｂから後方に中心線４６に対して垂直で後端５２ｅ、５４ｅまで延在している後壁面５２ｄ、５４ｄと、を有する。前端５２ａ、５４ａは互いに整列し、後壁面５２ｄ、５４ｄは互いに整列する。
【００１３】
各側壁３６、３８の一部分は、それぞれの側壁３６、３８の残部から切欠き６０、６２によって部分的に分離され、それぞれの側壁３６、３８の残部に対して移動することができるラッチアーム５６、５８として形成されている。各ラッチアーム５６は、切欠き４８、５２、５０、５４の前端４８ａ、５２ａ、５０ａ、５４ａに近接してそれぞれの側壁３６、３８に接続された前端と、前端からアーム部６４の後端であるヘッド部６６まで延在しているアーム部６４を有する。各アーム部６４は、通路４４に面する内側面６４ａと、対向する外側面６４ｂと、内側面６４ａと外側面６４ｂとの間に延在している上面６４ｃと、内側面６４ａと外側面６４ｂとの間に延在している底面６４ｄと、を有する。アーム部６４の高さは、上面６４ｃと底面６４ｄとの間に画定される。一実施形態では、アーム部６４の高さは、それぞれの側壁３２、３４の高さよりも小さい。ヘッド部６６は、平面プレートとして形成され、外側面６４ｂから外向きに延在する。ヘッド部６６は、通路４４に面し、かつ、アーム部６４の内側面６４ａと同一平面上にあってもよい内側面６６ａと、対向する外側面６６ｂと、内側面６４ａと外側面６４ｂとの間に延在している上面６６ｃ、底面６６ｄ、前面６６ｅ、及び後面６６ｆとを有する。前面６６ｅは平面である。各ヘッド部６６の高さは、上面６６ｃと底面６６ｄとの間に画定され、一実施形態では、各ヘッド部６６の高さは、それぞれのアーム部６４の高さよりも大きい。返し部６８は、アーム部６４の外側面６４ｂから外向きに延在し、空間７０によってヘッド部６６の前面６６ｅから離間されている。返し部６８は、アーム部６４の外側面６４ｂから外向きに湾曲する前面６８ａと、アーム部６４に垂直な後面６８ｂと、を有する。空間７０は、返し部の後面６８ｂと、アーム部の外側面６４ｂと、ヘッド部６６の前面６６ｅによって形成され、空間７０は、バックプレーン２６の厚さと同じ寸法を画定する。
【００１４】
ラッチアーム５６、５８は、それぞれの側壁３６、３８に対して、並びに上壁３２及び底壁３４に対して移動することができる。図６に示されるような第１の位置では、アーム部６４は、それぞれの側壁３６、３８から外向きに湾曲する。第２の位置では、アーム部６４は、それぞれの側壁３６、３８に対して平行であるように屈曲される。この第２の位置では、アーム部６４は中心線４６に平行であり、ヘッド部６６はアーム部６４に垂直であり、ヘッド部６６は、切欠き４８、５２、５０、５４の後端４８ｅ、５２ｅ、５０ｅ、５４ｅに近接している。第３の位置では、アーム部６４は屈曲され、ラッチアーム５６、５８は、上壁３２及び底壁３４内のそれぞれの整列された切欠き４８、５２、５０、５４内に延在する。
【００１５】
上壁３２は、切欠き４８、６０の間の幅に沿って延在しているフランジ７２を有する。フランジ７２は、平坦な前面７２ａと、対向する後面７２ｂと、前面７２ａと後面７２ｂとの間に延在している上面７２ｃと、を有する。ラッチアーム５６、５８が第２の位置にあるとき、フランジ７２はヘッド部６６と整列する。
【００１６】
底壁３４は、切欠き５２、５４の間の幅に沿って延在しているフランジ７４を有する。フランジ７４は、平坦な前面７４ａと、対向する後面７４ｂと、前面７４ａと後面７４ｂとの間に延在している上面７４ｃと、を有する。ラッチアーム５６、５８が第２の位置にあるとき、フランジ７４はヘッド部６６と整列する。
【００１７】
バックプレーン２８は、バックプレーン２６のアパーチャ７６にバックプレーンコネクタ２２を挿入することにより、バックプレーンコネクタ２２に接続される。これは、フランジ７２、７４の前方にあるバックプレーンコネクタ２２の前端部７８の形状に適合するようなサイズである。バックプレーンコネクタ２２がバックプレーン２６内のアパーチャ７６を通って挿入されると、アパーチャ７６の上縁及び下縁は、上壁３２及び底壁３４に沿って摺動し、アパーチャ７６の側縁は側壁３６、３８に沿って摺動する。アパーチャ７６の側縁がアーム部６４に接触すると、アーム部６４は、通路４４内へと内側に屈曲する。アパーチャ７６の側縁が返し部６８の湾曲面６８ａに接触すると、アーム部６４は、通路４４内へと更に内側に屈曲する。アパーチャ７６の側縁が返し部６８を通過した後、バックプレーン２６は、バックプレーン２６の前面２６ａが返し部６８の後面６８ｂに対して係合し、バックプレーン２６の後面２６ｂが各ラッチアーム５６、５８のヘッド部６６の前面６６ｅ及び各フランジ７２ａ、７２ｂの前面７２ａ、７４ａに対して係合するように空間７０内に着座する。
【００１８】
バックプレーンコネクタ２２及びバックプレーン２６は、ｘ軸に沿ってそれぞれに対して移動することができる。バックプレーンコネクタ２２がｘ軸に沿って第１の方向に移動されると、ラッチアーム５６は、通路４４内へと内側に屈曲し、ラッチアーム５８は、通路４４から外向きに屈曲する。切欠き４８、５２により、バックプレーン２６が上壁３２及び底壁３４内に移動可能となる。同様に、バックプレーンコネクタ２２がｘ軸に沿って第２の、反対方向に移動されるとき、ラッチアーム５８は、通路４４内へと内側に屈曲し、ラッチアーム５６は、通路４４から外向きに屈曲する。切欠き５０、５４により、バックプレーン２６が上壁３２及び底壁３４内に移動可能となる。
【００１９】
図１２〜図１７は、例示的な実装による、スレッドコネクタを示す。スレッドコネクタ２４は、外側ハウジング８２によって取り囲まれた内側ハウジング８０を含む。
【００２０】
内側ハウジング８０は、前端９０及び後端９２が画定されるように、第１の側壁８６及び第２の側壁８８によって相互接続される、対向する上壁８１及び底壁８４を有する絶縁材料及び誘電材料で形成されている。複数の通路９４は、内側ハウジング８０を通って前端９０から後端９２まで延在する。端子（図示せず）は、既知の方法で通路９４内に装着される。一実施形態では、通路９４は、シリンダとして又は大体においてシリンダとして形成されている。一実施形態では、端子は、通路内に着座されたフェルール内に装着された光ファイバである。一実施形態では、端子は、通路内に着座された導電性ピンである。
【００２１】
外側ハウジング８２は、前端１０４及び後端１０６が画定されるように、第１の側壁１００及び第２の側壁１０２によって相互接続される、対向する上壁９６及び底壁９８を有する絶縁性及び誘電性の材料から形成されている。上壁９６は、垂直後壁部９６ａと、後壁部９６ａの上端から前端１０４まで前方に延在している上壁部９６ｂと、後壁部９６ａの下端から前端１０４まで前方に延在している底壁部９６ｃと、を有する。上壁部９６ｂと底壁部９６ｃとは、互いに平行であり、上部空間１０８がそれらの間に形成されるように互いに離間している。底壁９８は、垂直後壁部９８ａと、後壁部９８ａの下端から前端１０４まで前方に延在している底壁部９８ｂと、後壁部９８ａの上端から前端１０４まで前方に延在している上壁部９８ｃと、を有する。底壁部９８ｂと上壁部９８ｃとは、互いに平行であり、底部空間１１０がそれらの間に形成されるように互いに離間している。中央通路１１２は、壁部９６ｃ、９８ｃ及び側壁１００、１０２によって画定され、外側ハウジング８２を通って前端１０４から後端１０６まで延在する。中心線１１４は、通路１１２を通って画定され、前端１０４と後端１０６との間に延在する。中心線１１２は、バックプレーンコネクタ２２のｚ軸を画定する。ｚ軸に垂直なｘ軸は、上壁９６の幅に沿って画定され、幅は側壁１００、１０２の間に画定される。ｚ軸及びｘ軸に垂直な、ｙ軸は、側壁１０２の高さに沿って画定され、高さは上壁９６と底壁９８との間に画定される。
【００２２】
各壁部９６ｂ、９８ｂの一部分は、それぞれの上壁部９６ｂ、９８ｂの残部から切欠き１２０、１２２によって部分的に分離され、それぞれの壁部９６ｂ、９８ｂの残部に対して移動することができるラッチアーム１１６ａ、１１６ｂ、１１８ａ、１１８ｂとして形成されている。ラッチアーム１１６ａ、１１６ｂは、互いに分離され、ラッチアーム１１８ａ、１１８ｂは、互いに分離されている。各ラッチアーム１１６ａ、１１６ｂ、１１８ａ、１１８ｂは、それぞれの壁部９６ｂ、９８ｂに接続された前端と、アーム部１２４の後端にて前端から後端のヘッド部１２６まで延在しているアーム部１２４と、を有する。各アーム部１２４は、それぞれの空間１０８、１１０に面する表面１２４ａ、表面１２４ａと対向する表面１２４ｂ、及び表面１２４ａ、１２４ｂの間に延在している側面１２４ｃ、１２６ｃを有する。各ラッチアーム１１６ａ、１１６ｂの表面１２４ｂは、上面を形成し、各ラッチアーム１１８ａ、１１８ｂの表面１２４ｂは、底面を形成する。アーム部１２４の高さは、表面１２４ａ、１２４ｂの間に画定される。ヘッド部１２６は、平面プレートとして形成され、表面１２４ｂから外向きに延在する。各ヘッド部１２６は、後面１２６ａと、平坦な前面１２６ｂと、内側面と外側面１２４ａ、１２４ｂとの間に延在している表面１２６ｃ、１２６ｄ、１２６ｅ、１２６ｆと、を有する。前面１２６ｅは平面である。各ヘッド部１２６の高さは、表面１２４ｂと表面１２６ｃとの間に画定され、一実施形態では、各ヘッド部１２６の高さは、それぞれのアーム部１２４の高さよりも大きい。返し部１２８は、アーム部１２４の表面１２４ｂから外向きに延在し、空間１３０によってヘッド部１２６の前面１２６ｂから離間している。返し部１２８は、アーム部１２４の表面１２４ｂから外向きに湾曲する前面１２８ａと、アーム部１２４に垂直な後面１２８ｂと、を有する。空間１３０は、返し部１２８の後面１２８ｂ、アーム部１２４の表面１２４ｂ、及びヘッド部１２６の前面１２６ｂによって形成され、空間１３０は、スレッド２８の厚さと同じ寸法を画定する。
【００２３】
ラッチアーム１１６ａ、１１６ｂ、１１８ａ、１１８ｂは、それぞれの壁部９６ｂ、９８ｂに対して、及び側壁１００、１０２に対して移動することができる。第１の位置では、アーム部１２４は、それぞれの壁部９６ｂ、９８ｂ及び中心線１１４に平行であり、ヘッド部１２６はアーム部１２４に対して垂直である。第２の位置では、アーム部１２４は、それぞれの空間１０９、１１０内に内側に屈曲する。
【００２４】
上壁９６は、側壁１００とラッチアーム１１６ａとの間のｘ軸に沿って延在している第１のフランジ１３２と、側壁１０２と他のラッチアーム１１６ｂとの間のｘ軸に沿って延在している第２のフランジ１３４と、ラッチアーム１１６ａ、１１６ｂ間のｘ軸に沿って延在している第３のフランジ１３６と、を有する。フランジ１３２、１３４、１３６は互いに整列され、各フランジ１３２、１３４、１３６は、外側ハウジング８２の後端１０６から離間した後面１３８と、外側ハウジング８２の前端１０４から離間した前面１４０と、後面と前面１３６、１３８との間に延在する上面１４２と、を有する。ラッチアーム１１６ａ、１１６ｂが第１の位置にあるとき、フランジ１３２、１３４、１３６は、前面１２６ｂ、１４０が互いに整列するようにヘッド部１２６と整列する。
【００２５】
第１のチャネル１４４は、フランジ１３２の前方に上壁９６及び側壁１００の上端に形成され、側壁１００とラッチアーム１１６ａとの間のｘ軸に沿って延在する。第２のチャネル１４６は、フランジ１３４の前方に上壁９６及び側壁１０２の上端に形成され、側壁１００とラッチアーム１１６ｂとの間のｘ軸に沿って延在する。各チャネル１４４、１４６は、それぞれのフランジ１３２、１３４から空間１０８内に下方に延在する後壁１４８と、上壁部９６ｂから空間１０８へと下方に延在する前壁１５０と、後壁と前壁１４８、１５０の下端との間に延在している底壁１５２とによって形成されている。ラッチアーム１１６ａ、１１６ｂが第１の位置にあるとき、底壁１５２は、ラッチアーム１１６ａ、１１６ｂの下にある。各チャネル１４４、１４６は、スレッド２８を内部に収容するようにサイズ決めされる。スロット１５４は、上壁部９６ｂに形成され、空間１０８と連通している。スロット１５４は、ラッチアーム１１６ａ、１１６ｂの間に延在する。スロット１５４は、スレッド２８がそこを通って収容されるようにサイズ決めされる。
【００２６】
底壁９８は、側壁１００とラッチアーム１１８ａとの間のｘ軸に沿って延在している第１のフランジ１５４と、側壁１０２と他のラッチアーム１１８ｂとの間のｘ軸に沿って延在している第２のフランジ１５６と、ラッチアーム１１８ａ、１１８ｂ間のｘ軸に沿って延在している第３のフランジ１５８と、を有する。フランジ１５４、１５６、１５８は互いに整列され、各フランジ１５４、１５６、１５８は、外側ハウジング８２の後端１０６から離間した後面１６０と、外側ハウジング８２の前端１０４から離間した前面１６２と、後面と前面１６０、１６２との間に延在する上面１６４と、を有する。ラッチアーム１１８ａ、１１８ｂが第１の位置にあるとき、フランジ１５４、１５６、１５８は、前面１２６ｂ、１６２が互いに整列するようにヘッド部１２６と整列する。
【００２７】
第１のチャネル１６６は、フランジ１５４の前方に底壁９８及び側壁１０２の下端内に形成され、側壁１０２とラッチアーム１１８ａとの間のｘ軸に沿って延在する。第２のチャネル１６８は、フランジ１５６の前方に底壁９８及び側壁１００の下端内に形成され、側壁１００とラッチアーム１１８ｂとの間のｘ軸に沿って延在する。各チャネル１６６、１６８は、それぞれのフランジ１５４、１５６から空間１１０内に上方に延在している後壁１７０と、底壁部９８ｂから空間１１０へと上方に延在している前壁１７２と、後壁１７０と前壁１７２の上端との間に延在している上壁１７４とによって形成されている。ラッチアーム１１８ａ、１１８ｂが第１の位置にあるとき、上壁１７４はラッチアーム１１８ａ、１１８ｂの上方にある。各チャネル１６６、１６８は、スレッド２８を内部に収容するようにサイズ決めされる。スロット１７６は、底壁部９８ｂに形成され、空間１１０と連通している。スロット１７６は、ラッチアーム１１８ａ、１１８ｂの間に延在する。スロット１７６は、スレッド２８がそこを通って収容されるようにサイズ決めされる。
【００２８】
フランジ１３２、１３４、１３６、１５４、１５６、１５８は、ｚ軸に沿って互いに整列される。
【００２９】
スレッド２８は、スレッド２８のアパーチャ１７８を通してスレッドコネクタ２４を挿入することによってスレッドコネクタ２４に接続され、スレッド２８は、ラッチアーム１１６ａ、１１６、１１８ａ、１１８ｂの前方のスレッドコネクタ２４の前端部１８０の形状に適合するようにサイズ決めされる。スレッドコネクタ２４がスレッド２８のアパーチャ１７８を通って挿入されると、アパーチャ１７８の上縁及び下縁は、上壁及び底壁９６、９８に沿って摺動し、アパーチャ１７８の側縁は側壁１００、１０２に沿って摺動する。アパーチャ１７８の上縁及び底縁がアーム部１２４上の返し部１２８と接触するとき、アーム部１２４は、それぞれの空間１０８、１１０内へ内向きに屈曲する。アパーチャ１７８の上縁及び底縁が返し部１２８の湾曲面１２８ａに接触すると、アーム部１２４は、それぞれの空間１０８、１１０内へ内向きに屈曲する。アパーチャ１７６の上縁及び底縁が返し部１２８を通過した後、スレッド２８の前面２８ａが返し部１２８の後面１２８ｂに対して係合し、スレッド２８の後面２８ｂが、ヘッド部１２６の前面１２６ｂ及びフランジ１３２、１３４、１３６、１５４、１５６、１５８の前面１６２に対して係合するようにスレッド２８は空間１３０内に着座する。
【００３０】
スレッドコネクタ２４及びスレッド２８は、ｙ軸に沿ってそれぞれに対して移動することができる。スレッドコネクタ２４がｙ軸に沿って下向き方向に移動されると、ラッチアーム１１６ａ、１１６ｂは上部空間１０８の中へ内向きに屈曲し、ラッチアーム１１８ａ、１１８ｂは底部空間１１０から外向きに屈曲する。スレッド２８は、チャネル１４４、１４６内に、スロット１５４を通って上部空間１０８へと移動する。スレッドコネクタ２４がｙ軸に沿って上向き方向に移動されると、ラッチアーム１１８ａ、１１８ｂは、底部空間１１０内へ内向きに屈曲し、ラッチアーム１１６ａ、１１６ｂは上部空間１０８から外向きに屈曲する。スレッド２８は、チャネル１６６、１６８内に、スロット１７６を通って底部空間１１０へと移動する。
【００３１】
フランジ１８２は、ｙ軸に沿って側壁１００、１０２から外向きに延在してもよい。フランジ１８２は、ｚ軸に沿ってフランジ１３２、１３４、１３６、１５４、１５６、１５８と整列される。
【００３２】
内側ハウジング８０は、ポケット１８４がスレッドコネクタ２４に形成されるよう、内側ハウジング８０の後端９２が外側ハウジング８２の後端１０６の前方にあるように外側ハウジング８２の通路１１２内に着座している。内側ハウジング８０の前端９０は、外側ハウジング８２の前端１０４から延在してもよい。内側ハウジング８０の上壁８２及び外側ハウジング８２の上壁部９６ｃは互いに係合する。内側ハウジング８０の底壁８４及び外側ハウジング８２の底壁部９８ｃは互いに係合する。内側ハウジング８０の側壁８６及び外側ハウジング８２の側壁１００は互いに係合し、内側ハウジング８０の側壁８８及び外側ハウジング８２の側壁１０２は互いに係合する。開口部と係合するラッチアームなどの嵌合機構は、内側ハウジング及び外側ハウジング８０、８２上に設けられて、内側ハウジング８０を外側ハウジング８２内に保持する。
【００３３】
ポケット１８４は、バックプレーンコネクタ２２の後端部１８６と同じ寸法を有する。バックプレーンコネクタ２２及びスレッドコネクタ２４が一緒に差し込まれると、バックプレーンコネクタ２２の後端部１８６は、ポケット１８４内に着座し、スレッドコネクタ２４内の端子は、バックプレーンコネクタ２２内の端子と互いに接続する。バックプレーンコネクタ２２の上壁３２及び外側ハウジング８２の上壁部９６ｃは互いに係合する。バックプレーンコネクタ２２の底壁３４及び外側ハウジング８２の底壁部９８ｃは互いに係合する。バックプレーンコネクタ２２の側壁３６及び外側ハウジング８２の側壁１０２は互いに係合し、バックプレーンコネクタ２２の側壁３８及び外側ハウジング８２の側壁１００は互いに係合する。開口部と係合するラッチアームなどの嵌合機構は、バックプレーンコネクタ２２及びスレッドコネクタ２４上に設けられて、バックプレーンコネクタ２２とスレッドコネクタ２４との係合を保持する。いくつかの実施形態では、スレッドコネクタ２４の外側ハウジング８２及びバックプレーンコネクタ２２は、嵌合中にバックプレーンコネクタ２２及びスレッドコネクタ２４を適切に整列させるのを支援する整列機構を含む。いくつかの実施形態では、整列機構は、突出部と嵌合するタブである。
【００３４】
したがって、バックプレーンコネクタ２２がバックプレーン２６に装着されるとき、スレッドコネクタ２４はスレッド２８に装着され、バックプレーンコネクタ２２及びスレッドコネクタ２４は、互いに嵌合されてバックプレーン及びスレッドコネクタアセンブリ２０を形成する。バックプレーン及びスレッドコネクタアセンブリ２０は、バックプレーン２６に対してｘ方向に移動することができ、スレッド２８に対してｙ方向に移動することができる。これにより、バックプレーン及びスレッドコネクタアセンブリ２０によってバックプレーン２６とスレッド２８との間の浮動移動が可能になる。
【００３５】
一実施形態では、バックプレーンコネクタ２２とスレッドコネクタ２４との間の嵌合機構は、バックプレーンコネクタ２２がバックプレーン２６に装着され、スレッドコネクタ２４がスレッド２８に装着されると、ｚ方向の浮動移動を可能にし、バックプレーンコネクタとスレッドコネクタ２４とが互いに嵌合される。一実施形態では、スレッドコネクタ２４の内側ハウジングと外側ハウジング８０、８２との間の嵌合機構は、バックプレーンコネクタ２２がバックプレーン２６に装着され、スレッドコネクタ２４がスレッド２８に装着されると、ｚ方向における浮動移動を可能にし、バックプレーンコネクタ２２及びスレッドコネクタ２４が一緒に嵌合される。一実施形態では、バックプレーンコネクタ２２とスレッドコネクタ２４との間の嵌合機構、並びにスレッドコネクタ２４の内側ハウジングと外側ハウジング８０、８２との間の嵌合機構は、バックプレーンコネクタ２２がバックプレーン２６に装着され、スレッドコネクタ２４がスレッド２８に装着されると、ｚ方向への浮動移動を可能にし、バックプレーンコネクタ２２及びスレッドコネクタ２４が共に嵌合される。
【００３６】
特定の実施形態が図面に例示され、図面に関して説明されているが、当業者は、添付の特許請求の範囲の趣旨及び範囲から逸脱することなく様々な修正を考案し得ることが想定される。したがって、本開示及び添付の特許請求の範囲は、図面に例示され、図面に関して論じられた特定の実施形態に限定されるものではなく、修正及び他の実施形態は、本開示及び添付図面の範囲内に含まれることが意図されることが理解されるであろう。更に、前述の説明及び関連する図面は、要素及び／又は機能の特定の例示的組み合わせの文脈における例示的な実施形態を説明しているが、要素及び／又は機能の異なる組み合わせは、本発明の範囲及び添付の特許請求の範囲から逸脱することなく、代替的な実施形態によって提供されてもよいことを理解されたい。
【図１】
2021516420.tif 000003
【図２】
2021516420.tif 000004
【図３】
2021516420.tif 000005
【図４】
2021516420.tif 000006
【図５】
2021516420.tif 000007
【図６】
2021516420.tif 000008
【図７】
2021516420.tif 000009
【図８】
2021516420.tif 000010
【図９】
2021516420.tif 000011
【図１０】
2021516420.tif 000012
【図１１】
2021516420.tif 000013
【図１２】
2021516420.tif 000014
【図１３】
2021516420.tif 000015
【図１４】
2021516420.tif 000016
【図１５】
2021516420.tif 000017
【図１６】
2021516420.tif 000018
【図１７】
2021516420.tif 000019
【国際調査報告】
2021516420.tif 000020
2021516420.tif 000021